【手続補正書】
【提出日】平成22年4月20日(2010.4.20)
【手続補正１】
【補正対象書類名】特許請求の範囲
【補正対象項目名】全文
【補正方法】変更
【補正の内容】
【特許請求の範囲】
【請求項１】
沸騰水型原子力プラントに設けられる非常用炉心冷却系であって、
前記非常用炉心冷却系は、設計基準事故時に必須となる必要数Ｎよりも２区分多い区分数（Ｎ＋２区分）からなる動的安全系の安全区分と、
少なくとも１区分からなり、かつ所定時間の炉心冷却が可能な静的安全系の安全区分とを備え、
前記静的安全系の安全区分が外部から冷却水の補給を行わない場合であっても少なくとも８時間の炉心冷却を可能とすることを特徴とする非常用炉心冷却系。
【請求項２】
前記動的安全系の安全区分数は３区分であり、かつ前記動的安全系の各安全区分は、
設計基準事故時において炉心冷却に必要とされる１００％の注水機能を有する高圧炉心冷却系と、
設計基準事故時において炉心冷却に必要とされる１００％の注水機能を有する低圧炉心冷却系と、
設計基準事故時において炉心冷却及び原子炉格納容器冷却に必要とされる１００％の除熱能力を有する残留熱除去系と、
前記高圧炉心冷却系、低圧炉心冷却系及び残留熱除去系に給電する非常用電源とを備え、
前記静的安全系の安全区分は１区分であり、かつ前記静的安全系の安全区分は、アイソレーション・コンデンサを備え、
前記アイソレーション・コンデンサは、少なくとも８時間の炉心冷却が可能な冷却水を保持したことを特徴とする請求項１に記載の非常用炉心冷却系。
【請求項３】
前記動的安全系の安全区分に備えられる非常用電源は、非常用ディーゼル発電機であることを特徴とする請求項２に記載の非常用炉心冷却系。
【請求項４】
前記動的安全却系専用の安全区分に給電する補助電源としてそれぞれの安全区分ごとに前記非常用ディーゼル発電機とは別にガスタービン発電機を備えたことを特徴とする請求項３に記載の非常用炉心冷却系。
【請求項５】
前記動的安全系専用の安全区分に給電する補助電源として少なくとも１機のガスタービン発電機を備え、前記ガスタービン発電機は、全ての前記動的安全系の安全区分で共用し、前記動的安全系専用の安全区分のいずれか一つに切り替えて給電できることを特徴とする請求項３に記載の非常用炉心冷却系。
【請求項６】
前記静的安全系の安全区分は、静的格納容器冷却系をさらに備えたことを特徴とする請求項２〜５のいずれか一項に記載の非常用炉心冷却系。
【請求項７】
前記静的安全系の安全区分は、重力落下式炉心冷却系をさらに備えたことを特徴とする請求項２〜６のいずれか一項に記載の非常用炉心冷却系。
【請求項８】
前記低圧炉心冷却系は、格納容器スプレ系として使用可能なように、格納容器スプレヘッダに接続する分岐配管と、前記分岐配管上に設置された電動弁とを有することを特徴とする請求項２〜７のいずれか一項に記載の非常用炉心冷却系。
【請求項９】
前記残留熱除去系は、前記低圧炉心冷却系とは独立に構成され、前記独立した残留熱除去系１系統を全ての前記動的安全系専用の安全区分ごとに有し、前記独立の残留熱除去系は、前記格納容器スプレ系として使用可能なように、格納容器スプレヘッダに接続する分岐配管と、前記配管上に設置された電動弁とを有することを特徴とする請求項２〜７のいずれか一項に記載の非常用炉心冷却系。
【手続補正２】
【補正対象書類名】明細書
【補正対象項目名】００４４
【補正方法】変更
【補正の内容】
【００４４】
アイソレーション・コンデンサ（ＩＣ）６５は原子炉圧力容器１４から直接炉蒸気を取り出し、熱交換器で冷却して凝縮水に戻した後、重力で再び原子炉圧力容器１４に注水を行う。これは、ＡＢＷＲの原子炉隔離時冷却系（ＲＣＩＣ）６２ｃに対応する機能であり、原子炉が隔離状態である場合に炉心冷却を行う。
【手続補正３】
【補正対象書類名】明細書
【補正対象項目名】００７６
【補正方法】変更
【補正の内容】
【００７６】
上記目的を達成するために、本発明の非常用炉心冷却系は、請求項１に記載したように、沸騰水型原子力プラントに設けられる非常用炉心冷却系であって、前記非常用炉心冷却系は、設計基準事故時に必須となる必要数Ｎよりも２区分多い区分数（Ｎ＋２区分）からなる動的安全系の安全区分と、少なくとも１区分からなり、かつ所定時間の炉心冷却が可能な静的安全系の安全区分とを備え、前記静的安全系の安全区分が外部から冷却水の補給を行わない場合であっても少なくとも８時間の炉心冷却を可能とすることを特徴とするものである。
【手続補正４】
【補正対象書類名】明細書
【補正対象項目名】００７７
【補正方法】変更
【補正の内容】
【００７７】
また、上記目的を達成するために、本発明の非常用冷却系は、請求項２に記載したように、前記動的安全系の安全区分数は３区分であり、かつ前記動的安全系の各安全区分は、設計基準事故時において炉心冷却に必要とされる１００％の注水機能を有する高圧炉心冷却系と、設計基準事故時において炉心冷却に必要とされる１００％の注水機能を有する低圧炉心冷却系と、設計基準事故時において炉心冷却及び原子炉格納容器冷却に必要とされる１００％の除熱能力を有する残留熱除去系と、前記高圧炉心冷却系、低圧炉心冷却系及び残留熱除去系に給電する非常用電源とを備え、前記静的安全系の安全区分は１区分であり、かつ前記静的安全系の安全区分は、アイソレーション・コンデンサを備え、前記アイソレーション・コンデンサは、少なくとも８時間の炉心冷却が可能な冷却水を保持したことを特徴とするものである。
【手続補正５】
【補正対象書類名】明細書
【補正対象項目名】００８１
【補正方法】変更
【補正の内容】
【００８１】
本発明に係るＥＣＣＳは、安全区分が例えば４区分に区画されて設けられる。
【手続補正６】
【補正対象書類名】明細書
【補正対象項目名】００９４
【補正方法】変更
【補正の内容】
【００９４】
例えば、１２０万ＫＷｅクラスのＢＷＲに本実施形態によるＥＣＣＳを適用した場合には３日程度、１８０万ｋＷｅクラスのＢＷＲに適用した場合には２日程度の原子炉圧力容器１４冷却が可能である。また、冷却水の保有量を増やせば、３日以上の原子炉圧力容器１４の冷却も可能である。
【手続補正７】
【補正対象書類名】明細書
【補正対象項目名】０１０３
【補正方法】変更
【補正の内容】
【０１０３】
図２は、本実施形態によるＥＣＣＳの低圧炉心冷却系２及び残留熱除去系３の構成図を示したものである。図１における第１〜３安全区分には、図２に示した低圧炉心冷却系２及び残留熱除去系３の構成と同様の安全区分が設けられる。
【手続補正８】
【補正対象書類名】明細書
【補正対象項目名】０１０４
【補正方法】変更
【補正の内容】
【０１０４】
ＬＰＦＬポンプ１０はポンプ容量を増加させることで、従来のＡＢＷＲでは２系統が必要になる低圧炉心冷却系２を１系統のみで構成し、１系統の低圧炉心冷却系２を格納容器スプレ系９として同時に使用することができる。
【手続補正９】
【補正対象書類名】明細書
【補正対象項目名】０１１１
【補正方法】変更
【補正の内容】
【０１１１】
さらに、本実施形態によるＥＣＣＳの低圧炉心冷却系２の１系統で、原子炉圧力容器１４内への冷却水の注水と格納容器スプレ散布を同時に実施しても原子炉圧力容器１４の圧力を低くでき、冷却水が原子炉圧力容器１４内に注入されずに原子炉格納容器１５側だけに偏って散布されるということを回避することができる。
【手続補正１０】
【補正対象書類名】明細書
【補正対象項目名】０１２９
【補正方法】変更
【補正の内容】
【０１２９】
動的安全系における非常用ディーゼル発電機４の容量は、１機で一つの安全区分の必要電源容量の１００％を有するとしたが、動的安全系の一つの安全区分に必要電源容量の５０％の容量を有する小型の非常用ディーゼル発電機を２機以上設けることで、多重性を持たせてもよい。
【手続補正１１】
【補正対象書類名】明細書
【補正対象項目名】０１３５
【補正方法】変更
【補正の内容】
【０１３５】
またさらに、ＬＰＦＬポンプ１０はポンプ容量を増加させることで、従来のＡＢＷＲでは２系統が必要になる低圧炉心冷却系２を１系統のみで構成し、１系統の低圧炉心冷却系２を格納容器スプレ系９として同時に使用することができる。
【手続補正１２】
【補正対象書類名】明細書
【補正対象項目名】０１４１
【補正方法】変更
【補正の内容】
【０１４１】
図６は、本実施形態によるＥＣＣＳの区分図を示したものである。
【手続補正１３】
【補正対象書類名】明細書
【補正対象項目名】０１４２
【補正方法】変更
【補正の内容】
【０１４２】
第２実施形態におけるＥＣＣＳには、安全区分が例えば４区分設けられる。
【手続補正１４】
【補正対象書類名】明細書
【補正対象項目名】０１４６
【補正方法】変更
【補正の内容】
【０１４６】
第２実施形態に示されるＥＣＣＳにおいて、第１実施形態と異なる点は、低圧炉心冷却系２と、残留熱除去系３及びウェットウェル・ドライウェル冷却系２１が完全に独立系統として設けられていることである。
【手続補正１５】
【補正対象書類名】明細書
【補正対象項目名】０１５６
【補正方法】変更
【補正の内容】
【０１５６】
また、この第３実施形態のＥＣＣＳを説明するに当たり、第１実施形態のＥＣＣＳと対応する部分については、構成および作用が共通するので同一の符号を付して説明を省略する。
【手続補正１６】
【補正対象書類名】明細書
【補正対象項目名】０１５７
【補正方法】変更
【補正の内容】
【０１５７】
図８は、第３実施形態のＥＣＣＳの区分図を示したものである。
【手続補正１７】
【補正対象書類名】明細書
【補正対象項目名】０１６７
【補正方法】変更
【補正の内容】
【０１６７】
この第４実施形態のＥＣＣＳを説明するに当たり、第３実施形態のＥＣＣＳと対応する部分については同一の符号を付して説明を省略する。
【手続補正１８】
【補正対象書類名】明細書
【補正対象項目名】０１６８
【補正方法】変更
【補正の内容】
【０１６８】
図９は、第４実施形態のＥＣＣＳの区分図を示したものである。第４実施形態では、動的安全系に給電する補助電源として、非常用ディーゼル発電機（ＥＤＧ）４に加えて、動的安全系の安全区分のいずれか一つに切り替えて給電できるガスタービン発電機（ＧＴＧ）３５ｂを備える。ガスタービン発電機３５ｂは、動的安全系の少なくとも一つの安全区分に、例えば１機設けられる。